(57)【要約】【課題】容易に配線の固定を確実にし、点灯時の不具合を低減することが可能な電球型蛍光ランプおよび照明器具を提供する。【解決手段】電球型蛍光ランプ１０は、蛍光管１、樹脂ケース２、点灯装置３および口金部４を備える。樹脂ケース２は、ケース本体部２ａ、装着部２ｂおよび切り込み部２ｃを備える。ケース本体部２ａは、点灯装置３を収容する。装着部２ｂは、口金部４と装着可能である。切り込み部２ｃは、装着部２ｂ端部の口金部４を接続する側に少なくとも３つ形成され、凹み部分にリード線を位置決めして支持する。点灯装置３は、リード線および点灯回路部を備える。リード線は、点灯回路部と口金部４の給電端子を構成する基端部分とを電気的および機械的に接続する。このとき、リード線と口金部４を接続する前に、リード線を切り込み部２ｃの凹み部分に嵌め、支持する。【選択図】図１
2011233428.tif 000002
【特許請求の範囲】
【請求項１】
蛍光管と、
口金と、
前記蛍光管を点灯する点灯回路部、および、該点灯回路部と前記口金を電気的に接続するリード線を有する点灯装置と、
前記口金が装着されて、前記点灯装置を収容する樹脂ケースと、
を備え、
前記樹脂ケースの前記口金が装着される側の端部に、前記リード線を位置決めして支持する切り込み部が少なくとも３つ形成されること
を特徴とする電球型蛍光ランプ。
【請求項２】
前記切り込み部は、前記端部の周上に等間隔に形成されることを特徴とする請求項１に記載の電球型蛍光ランプ。
【請求項３】
前記蛍光管は、スパイラル形状またはＤ型形状であることを特徴とする請求項１または２に記載の電球型蛍光ランプ。
【請求項４】
請求項１ないし３のいずれか１項に記載の電球型蛍光ランプを備えることを特徴とする照明器具。
【発明の詳細な説明】
【技術分野】
【０００１】
本発明は、電球型蛍光ランプおよび照明器具に関する。
【背景技術】
【０００２】
近年、白熱灯用の照明器具をそのまま用いながら使用できる電球形の蛍光ランプが増えている。
【０００３】
特許文献１には、構成部品をリサイクル可能にし、廃棄物などの発生抑制および資源の循環的利用を図った電球形蛍光ランプが記載されている。カバーの一端に口金を嵌合固着し、そのカバーには切り込み部が１箇所設けられ、電源供給先の固定を行っている。
【０００４】
特許文献２には、組立作業を簡略化しつつ、口金の取付け強度を向上させた電球形蛍光ランプが記載されている。蛍光ランプの、点灯回路を収納したカバーに、電線挿通部を１箇所備える。
【０００５】
特許文献３には、小型化を実現できる電球形蛍光ランプが記載されており、ケース部分に切り込み部が１箇所設けられる。
【先行技術文献】
【特許文献】
【０００６】
【特許文献１】特開２００２−２６０４０８号公報
【特許文献２】特開２００２−２９８６１０号公報
【特許文献３】特開２００４−９５４０３号公報
【発明の概要】
【発明が解決しようとする課題】
【０００７】
上述した特許文献１ないし３にあるように、蛍光ランプのケースもしくはカバー部分に、切り込みを設け、電源供給の配線を固定する方法は以前より行われている。
【０００８】
しかし、蛍光ランプの組み立て工程において、樹脂ケースの切り込み位置の近くに必ずしも口金の電源供給の配線が位置されて置かれるとは限らず、場合によっては、切り込み位置と配線が遠くになることがある。このような場合、内部の部品の外周を囲うように引き回して配線を引っ張る必要があり、配線が切り込みから外れるなどして電気的接続が不十分になったり、配線により外力を加えられて部品が破損するなどして、不点灯となるおそれがある。
【０００９】
本発明は、上記事情に鑑みてなされたものであり、容易に配線の固定を確実にし、点灯時の不具合を低減することが可能な電球型蛍光ランプおよび照明器具を提供することを目的とする。
【課題を解決するための手段】
【００１０】
本発明の第１の観点に係る電球型蛍光ランプは、
蛍光管と、
口金と、
前記蛍光管を点灯する点灯回路部、および、該点灯回路部と前記口金を電気的に接続するリード線を有する点灯装置と、
前記口金が装着されて、前記点灯装置を収容する樹脂ケースと、
を備え、
前記樹脂ケースの前記口金が装着される側の端部に、前記リード線を位置決めして支持する切り込み部が少なくとも３つ形成されること
を特徴とする。
【００１１】
本発明の第２の観点に係る照明器具は、
第１の観点に係る電球型蛍光ランプを備えることを特徴とする。
【発明の効果】
【００１２】
本発明によれば、容易に配線の固定を確実にし、点灯時の不具合を低減することができる。
【図面の簡単な説明】
【００１３】
【図１】本発明の実施の形態に係る電球型蛍光ランプの一例を示す構成側面図である。
【図２】樹脂ケースの一例を示す構成図で、図１の電球型蛍光ランプを矢印Ｒの向きへ見た平面を示す。
【図３】点灯装置の一例を示す構成図である。（ａ）は矢印Ｒの向きへ見た平面図、（ｂ）は矢印Ｓの向きへ見た側面図である。
【図４】樹脂ケースの変形例を示す構成図である。（ａ）は側面図、（ｂ）は矢印Ｒの向きへ見た平面図である。
【図５】樹脂ケースの切り込み部の変形例を示す側面図である。
【図６】蛍光管の一例を示す側面図である。
【図７】電球型蛍光ランプの一例を示す側面図である。
【発明を実施するための形態】
【００１４】
以下、本発明の実施の形態について図面を参照しながら詳細に説明する。なお、図中同一または相当部分には同一符号を付す。
【００１５】
（実施の形態）
図１は、本発明の実施の形態に係る電球型蛍光ランプの一例を示す構成側面図である。
【００１６】
電球型蛍光ランプ１０は、蛍光管１、樹脂ケース２、点灯装置３および口金部４を備える。
【００１７】
図２は、樹脂ケースの一例を示す構成図で、図１の電球型蛍光ランプを矢印Ｒの向きへ見た平面を示す。
【００１８】
樹脂ケース２は、ケース本体部２ａ、装着部２ｂおよび切り込み部２ｃを備える。ケース本体部２ａは、点灯装置３を収容する。装着部２ｂは、口金部４と装着可能である。切り込み部２ｃは、切り込み部２ｃの凹み部分にリード線３ａを位置決めして支持する。切り込み部２ｃは装着部２ｂ端部の口金部４を接続する側に少なくとも３つ形成され、端部の周上に等間隔であることが好ましい。図２において、切り込み部２ｃは等間隔に３箇所形成されている。
【００１９】
図３は、点灯装置の一例を示す構成図である。図３（ａ）は矢印Ｒの向きへ見た平面図、図３（ｂ）は矢印Ｓの向きへ見た側面図である。
【００２０】
点灯装置３は、リード線３ａおよび点灯回路部３ｂを備える。リード線３ａは、点灯回路部３ｂと口金部４の給電端子を構成する基端部分とを電気的および機械的に接続する。このとき、リード線３ａと口金部４を接続する前に、リード線３ａを切り込み部２ｃの凹み部分に嵌め、位置決めして支持しておく。例えば接続の方法は、リード線３ａを口金部４へプラズマアーク溶接などで接続する方法を用いる。
【００２１】
点灯回路部３ｂは複数の部品から構成され、点灯回路基板にそれら複数の部品を１箇所にまとめるように配置され形成される。また、点灯回路部３ｂと外部（電源供給側）を電気的に接続するためのリード線３ａが、同じ点灯回路基板上の、点灯回路部３ｂとは所定の距離を離して配置される。リード線３ａと点灯回路部３ｂとの間に所定の距離を設けることで、点灯装置３の製造が容易となり、また、リード線３ａが点灯回路部３ｂへ引っかかるなどして破損させるおそれが低減する。
【００２２】
また、口金部４の給電端子とリード線３ａの接続を行いやすくするために切り込み部２ｃでリード線３ａを固定することにより、リード線３ａが点灯回路部３ｂへ接続するなどして起こる破損や接続不良の発生を防ぐことができる。
【００２３】
点灯回路部３ｂの出力端子は蛍光管１の電極に接続され、点灯回路部３ｂの電源端子はリード線３ａを介して口金部４と接続される。電球型蛍光ランプ１０は、口金部４をそれに適合するソケット（図示せず）に挿入して、電源、例えば交流１００Ｖの商用電源、を接続すると点灯装置３の作用によって、蛍光管１が点灯する。点灯装置３の点灯回路部３ｂは、例えば、高周波点灯方式の回路を用いる。
【００２４】
本実施の形態の、樹脂ケース２と点灯装置３の位置関係について図２を用いて説明する。
【００２５】
電球型蛍光ランプ１０の組み立て工程において、点灯装置３の向きを特に限定することなく樹脂ケース２に点灯装置３を収容していく。言い換えると、樹脂ケース２の取り付けられる方向や、樹脂ケース２の装着部２ｂに装着する口金部４の配置される方向について、特に考慮されることはない。そのため、図２（ａ）に示すように、点灯装置３のリード線３ａと、樹脂ケース２の切り込み部２ｃの位置が重ならず（一致せず）にずれることがある。
【００２６】
リード線３ａを切り込み部２ｃで支持するために、リード線３ａに負荷をかけ、リード線３ａを撓ませたり引き出させるなどして、切り込み部２ｃの凹み部分に嵌める。このとき、できるだけ、最も近くにある切り込み部２ｃに嵌めることが好ましい。例えば、切り込み部２ｃＸ、２ｃＹ、２ｃＺと、等間隔に３つ切り込み部２ｃがある場合に、図２（ａ）の場合のリード線３ａから最も近くにある切り込み部２ｃの、切り込み部２ｃＸの位置に、リード線３ａを嵌める（図２（ｂ）参照）。
【００２７】
ここで、本実施の形態と異なり、切り込み部２ｃが１つしかない場合を考える。仮に、切り込み部２ｃＺだけの場合、リード線３ａは、点灯回路部３ｂを囲うように回り込まねばならず、リード線３ａの引き出し量が多くなり、また、リード線３ａが点灯回路部３ｂの各部品へ負荷を与えるおそれがある。
【００２８】
本実施の形態の場合、切り込み部２ｃが３つ以上形成されることで、樹脂ケース２へ点灯装置３を収容する際の向き、すなわち、リード線３ａの位置と切り込み部２ｃの位置およびリード線３ａの位置と口金部４の位置を考慮しない場合であっても、切り込み部２ｃとリード線３ａを近くに配置することができる。その結果、リード線３ａの引き出し量が少なくて済み、リード線３ａの長さが不足するために起こる接続不良を低減できる。長さが不足するためにリード線３ａと口金部４の接続が行えずに接続不良となる場合だけでなく、リード線３ａの長さに充分なゆとりがなく、軽い衝撃などにより、一旦は接続していたリード線３ａと口金部４の接続が外れて発生する接続不良となる場合にも、効果的である。また、リード線３ａが回り込むなどして外部から与えていた点灯回路部３ｂへの負荷をかけずに済むので、もしくは、負荷を少なくできるので、点灯回路部３ｂの部品を破損するおそれがなくなる。そのため、電球型蛍光ランプ１０の製造不良を低減させ、歩留まりを高くできる。
【００２９】
図４は、樹脂ケースの変形例を示す構成図である。（ａ）は側面図、（ｂ）は矢印Ｒの向きへ見た平面図である。切り込み部２ｃを、樹脂ケース２の装着部２ｂ端部に多数配置した例である。
【００３０】
図５は、樹脂ケースの切り込み部の変形例を示す側面図である。図５（ａ）は切り込み部２ｃが斜めに形成された場合、図５（ｂ）は切り込み部２ｃが台形型で形成された場合、図５（ｃ）は切り込み部２ｃが三角形型で形成された場合である。切り込み部２ｃの形状はどのような形状であってもよい。図示していないが、切り込み部２ｃが円形型などであってもよい。
【００３１】
図６は、蛍光管の一例を示す側面図である。蛍光管１の形状は、図６（ａ）に示すスパイラル形状や、図６（ｂ）に示すＤ型形状などがある。
【００３２】
図７は、電球型蛍光ランプの一例を示す側面図である。図７（ａ）は一般電球形状（Ａ形）、図７（ｂ）はボール電球形状（Ｇ形）、図７（ｃ）はレフ形（Ｒ形）である。図示していないが、グローブを備えない発光管露出形状（Ｄ形）や円筒型電球形状（Ｔ形）などであってもよい。
【００３３】
図４ないし図７は、本実施の形態を適用可能な変形例の一例であり任意に設定可能である。また、これらを組合せて用いることも可能であり、上述した例に限らない。
【００３４】
本実施の形態に係る照明器具は、本実施の形態に係る電球型蛍光ランプを使用可能な口金ソケットを有する照明器具全般に適用でき、その大きさや形状など、任意に設定可能である。
【００３５】
以上説明したように、本発明の電球型蛍光ランプおよび照明器具によれば、容易に配線の固定を確実にし、点灯時の不具合を低減することができる。
【００３６】
電球型蛍光ランプの樹脂ケースの、口金を装着する側の端部に少なくとも３つの切り込み部を形成するだけでよく、容易である。また、樹脂ケースへ点灯装置を収容する際に、その向きを考慮せずとも、歩留まりを高くすることができる。リード線の位置と、リード線を支持する位置（樹脂ケースの切り込み部）を介して口金までの距離が短くなり、リード線の必要長さを短くできる。リード線と口金の機械的接続が容易になるだけでなく、電気的接続が安定し、さらに、電球型蛍光ランプへ外部から衝撃を受けた場合であっても、接続の破断のおそれが少なくなる。
【００３７】
実施の形態において、樹脂ケースに形成する切り込み部は３つの場合を例に挙げて説明したが、４つ以上であってもよい。切り込み部の数が少ない場合はできるだけ等間隔に形成し、どの場合においても、リード線の位置から最寄りの切り込み部までの距離ができるだけ短くなることが好ましい。切り込み部の形状についても、矩形に限らず、様々な形状で形成することが可能である。
【００３８】
また、蛍光管は、スパイラル形状に限らず、Ｄ型形状、その他任意に設定可能である。さらに、蛍光管を被うグローブについても、Ａ形（一般電球形状）に限らず、ボール形状のＧ形、レフ形、その他の形状にも同様に適用できる。
【００３９】
さらに、本発明に係る照明器具は、本実施の形態の電球型蛍光ランプを使用可能な口金ソケットを有するものであればよく、大きさや形状など、任意に設定可能である。
【００４０】
上記の実施形態の一部または全部は、以下の付記のようにも記載されうるが、以下には限られない。
【００４１】
（付記１）蛍光管と、口金と、前記蛍光管を点灯する点灯回路部、および、該点灯回路部と前記口金を電気的に接続するリード線を有する点灯装置と、前記口金が装着されて、前記点灯装置を収容する樹脂ケースと、を備え、前記樹脂ケースの前記口金が装着される側の端部に、前記リード線を位置決めして支持する切り込み部が少なくとも３つ形成されることを特徴とする電球型蛍光ランプ。
【００４２】
（付記２）前記切り込み部は、前記端部の周上に等間隔に形成されることを特徴とする付記１に記載の電球型蛍光ランプ。
【００４３】
（付記３）前記蛍光管は、スパイラル形状またはＤ型形状であることを特徴とする付記１または２に記載の電球型蛍光ランプ。
【００４４】
（付記４）付記１ないし３のいずれかに記載の電球型蛍光ランプを備えることを特徴とする照明器具。
【符号の説明】
【００４５】
１    蛍光管
２    樹脂ケース
２ａ  ケース本体部
２ｂ  装着部
２ｃ  切り込み部
３    点灯装置
３ａ  リード線
３ｂ  点灯回路部
４    口金部
１０    電球型蛍光ランプ
【図１】
2011233428.tif 000003
【図２】
2011233428.tif 000004
【図３】
2011233428.tif 000005
【図４】
2011233428.tif 000006
【図５】
2011233428.tif 000007
【図６】
2011233428.tif 000008
【図７】
2011233428.tif 000009